(57)【要約】【課題】基材と枠体との接合面積を維持しつつ、搭載エリアへの接合材の流れ込みを抑制できる配線基板を提供する。【解決手段】本開示の一態様は、表面及び裏面を有する金属製の基材と、基材の表面に接合材からなる接合層を介して接合された絶縁性の枠体と、を備える配線基板である。配線基板は、記基材の表面に配置された溝、突起又はこれらの組み合わせによって構成される規制部をさらに備える。基材の表面には、搭載部品の搭載が予定されてなる搭載エリアを有する。規制部は、表面のうち平面視で搭載エリアと枠体との間の領域の少なくとも一部に配置される。【選択図】図１
2020061544.tif 000002
【特許請求の範囲】
【請求項１】
表面及び裏面を有する金属製の基材と、
前記基材の前記表面に、接合材からなる接合層を介して接合された絶縁性の枠体と、
を備える配線基板であって、
前記基材の前記表面に配置された溝、突起又はこれらの組み合わせによって構成される規制部をさらに備え、
前記基材の前記表面には、搭載部品の搭載が予定されてなる搭載エリアを有し、
前記規制部は、前記表面のうち平面視で前記搭載エリアと前記枠体との間の領域の少なくとも一部に配置される、配線基板。
【請求項２】
前記基材の前記表面のうち、前記枠体よりも内側の領域でかつ前記搭載エリアとは別の領域に設けられた台座をさらに備える、請求項１に記載の配線基板。
【請求項３】
前記台座及び前記規制部は、前記基材と一体に構成される、請求項２に記載の配線基板。
【請求項４】
前記規制部は、前記搭載エリアと前記枠体との間の領域のうち、前記搭載エリアと前記枠体との間に前記台座が存在しない領域に配置される、請求項２又は請求項３に記載の配線基板。
【請求項５】
前記規制部は、前記台座の前記基材との付け根部分に接する、請求項２から請求項４のいずれか１項に記載の配線基板。
【請求項６】
前記搭載エリアは、前記台座と前記規制部とによって連続的に囲まれる、請求項５に記載の配線基板。
【請求項７】
前記規制部は、少なくとも前記溝で構成され、
前記溝の深さは、前記基材の厚みの１／２以下である、請求項１から請求項６のいずれか１項に記載の配線基板。
【請求項８】
前記規制部は、少なくとも前記突起で構成される、請求項１から請求項７のいずれか１項に記載の配線基板。
【請求項９】
前記枠体に設けられると共に、前記搭載部品と電気的に接続が予定されてなる接続パッドをさらに備え、
前記突起の高さは、前記接続パッドの前記基材の前記表面からの高さ以下である、請求項８に記載の配線基板。
【請求項１０】
前記枠体は、セラミックを主成分とする、請求項１から請求項９のいずれか１項に記載の配線基板。
【請求項１１】
前記基材は、銅、銅合金及び銅複合体のうち少なくとも１つで構成される、請求項１から請求項１０のいずれか１項に記載の配線基板。
【請求項１２】
前記搭載エリアに搭載された前記搭載部品をさらに備える、請求項１から請求項１１のいずれか１項に記載の配線基板。
【発明の詳細な説明】
【技術分野】
【０００１】
本開示は、配線基板に関する。
【背景技術】
【０００２】
半導体素子等の搭載部品の放熱性を高めるために、金属製の基材を枠体に取り付けた配線基板が公知である（特許文献１参照）。基材は、枠体に対し、ろう材等の接合材を介して接合される。
【０００３】
枠体と基材との接合時に、溶融した接合材が電子部品等の搭載部品の搭載を予定する搭載エリアに流れ込むと、搭載エリアで接合材が硬化し、段差が形成される。この段差によって、搭載部品の基材への接合が不十分となったり、傾いたりする搭載不良が発生する。搭載不良は、搭載部品の接合強度、放熱性、搭載位置精度等を低下させる。
【０００４】
そこで、特許文献１では、枠体に段差部を設けることによって、搭載エリアへの接合材の流れ込みを抑制している。
【先行技術文献】
【特許文献】
【０００５】
【特許文献１】特開２０１５−２０４４２６号公報
【発明の概要】
【発明が解決しようとする課題】
【０００６】
上述のように枠体に段差部を設けることで接合材の流れを抑制する構成では、段差部によって基材と枠体との接合面積が減少する。その結果、接合部分の気密性が低下する可能性がある。
【０００７】
本開示の一局面は、基材と枠体との接合面積を維持しつつ、搭載エリアへの接合材の流れ込みを抑制できる配線基板を提供することを目的とする。
【課題を解決するための手段】
【０００８】
本開示の一態様は、表面及び裏面を有する金属製の基材と、基材の表面に接合材からなる接合層を介して接合された絶縁性の枠体と、を備える配線基板である。配線基板は、基材の表面に配置された溝、突起又はこれらの組み合わせによって構成される規制部をさらに備える。基材の表面には、搭載部品の搭載が予定されてなる搭載エリアを有する。規制部は、表面のうち平面視で搭載エリアと枠体との間の領域の少なくとも一部に配置される。
【０００９】
このような構成によれば、基材と枠体との接合時に、接合層を形成する接合材の流動が規制部によって規制される。そのため、基材と枠体との接合面積を減らすことなく、搭載エリアへの接合材の流れ込みを抑制できる。
【００１０】
本開示の一態様は、基材の表面のうち、枠体よりも内側の領域でかつ搭載エリアとは別の領域に設けられた台座をさらに備えてもよい。このような構成によれば、複数の搭載部品を高さの異なる位置に３次元的に配置することができる。また、基材の表面に台座を備える場合、台座が基材の表面に突起を形成する。基材の表面に突起を有する場合、流動する接合材が突起の外縁に沿って搭載エリアへ流れ込みやすい傾向にある。このような形態において、上述の規制部は、より一層効果的に機能する。
【００１１】
本開示の一態様では、台座及び規制部は、基材と一体に構成されてもよい。このような構成によれば、台座及び規制部を容易に形成することができる。また、台座から基材までの熱の流れが阻害されることを抑制できるので、台座に搭載される搭載部品の放熱性を高めることができる。
【００１２】
本開示の一態様では、規制部は、搭載エリアと枠体との間の領域のうち、搭載エリアと枠体との間に台座が存在しない領域に配置されてもよい。このような構成によれば、搭載エリアへの接合材の流れ込みを抑制できると共に、規制部の形成箇所を少なくすることができる。したがって、配線基板が不用意に大きくなることを抑制することができる。また、基材の表面への加工工数を少なくすることができる。
【００１３】
本開示の一態様では、規制部は、台座の基材との付け根部分に接してもよい。このような構成によれば、流動する接合材が流れ込みやすい突起の外縁である台座の付け根部分に接合材が流れ込むことを抑制することで、接合材によるフィレットが形成されることを抑制できる。そのため、搭載部品の搭載不良をより確実に抑制できる。
【００１４】
本開示の一態様では、搭載エリアは、台座と規制部とによって連続的に囲まれてもよい。このような構成によれば、より確実に搭載エリアへの接合材の流れ込みと、台座の付け根部分におけるフィレットの形成とを抑制できる。
【００１５】
本開示の一態様では、規制部は、少なくとも溝で構成され、溝の深さは、基材の厚みの１／２以下であってもよい。このような構成によれば、基材の放熱性の低下や基材の強度の低下を抑制できる。
【００１６】
本開示の一態様では、規制部は、少なくとも突起で構成されてもよい。このような構成によれば、接合材の流動量が多い場合でも接合材を搭載エリア外へ誘導することができる。
【００１７】
本開示の一態様は、枠体に設けられると共に、搭載部品と電気的に接続が予定されてなる接続パッドをさらに備えてもよい。突起の高さは、接続パッドの基材の表面からの高さ以下であってもよい。このような構成によれば、搭載部品と枠体に設けられた接続パッドとを接続する場合、接続手段（例えばワイヤーボンド等）が基材に触れてショートすることが抑制できると共に、当該接続の際の作業性の低下も抑制できる。
【００１８】
本開示の一態様では、枠体は、セラミックを主成分としてもよい。このような構成によれば、耐熱性の高い半導体パッケージを得ることができる。
本開示の一態様では、基材は、銅、銅合金及び銅複合体のうち少なくとも１つで構成されてもよい。このような構成によれば、基材の伝熱性を高めることができる。
【００１９】
本開示の一態様では、搭載エリアに搭載された搭載部品をさらに備えてもよい。このような構成によれば、信頼性の高い半導体パッケージが得られる。
【図面の簡単な説明】
【００２０】
【図１】図１Ａは、実施形態の配線基板の模式的な平面図であり、図１Ｂは、図１Ａ    のＩＢ−ＩＢ線での模式的な断面図である。
【図２】図２Ａは、図１Ａとは異なる実施形態の配線基板の模式的な平面図であり、    図２Ｂは、図２ＡのＩＩＢ−ＩＩＢ線での模式的な断面図である。
【図３】図３Ａは、図１Ａ及び図２Ａとは異なる実施形態の配線基板の模式的な平面    図であり、図３Ｂは、図３ＡのＩＩＩＢ−ＩＩＩＢ線での模式的な断面図である。
【発明を実施するための形態】
【００２１】
以下、本開示が適用された実施形態について、図面を用いて説明する。
［１．第１実施形態］
［１−１．構成］
図１Ａ，１Ｂに示す配線基板１は、基材２と、枠体３と、台座４と、規制部５と、第１搭載部品７と、第２搭載部品８とを備える。
【００２２】
＜基材＞
基材２は、表面２Ａ及び裏面２Ｂを有する金属製の板材である。基材２は、第１搭載部品７及び第２搭載部品８の放熱部材として機能する。基材２は、伝熱性の観点から、銅、銅合金及び銅複合体のうち少なくとも１つで構成されるとよい。なお、銅合金としては、銅を主成分としつつ、ニッケル、リン、亜鉛、スズ、アルミニウム等が含有された合金が挙げられる。なお、「主成分」とは、９０質量％以上含まれる成分を意味する。また、銅複合体としては、例えば、タングステンにより骨格を形成する多孔体中に銅が含侵された複合体や、銅とモリブデンが交互に積層された多層構造の複合体等が挙げられる。一方、基材２の裏面２Ｂには、放熱フィン等を有するヒートシンクが取り付けられてもよい。
【００２３】
基材２は、基材２の表面２Ａのうち第２搭載部品８の搭載が予定されてなる搭載エリア２Ｃを有する。搭載エリア２Ｃは、平面視で（つまり、表面２Ａが広がる面方向と垂直な方向から視て）第２搭載部品８の外縁と一致する領域である。
【００２４】
本実施形態では、搭載エリア２Ｃには第２搭載部品８が実際に搭載されているため、搭載エリア２Ｃは第２搭載部品８と完全に重なっている。第２搭載部品８は、例えば、ろう材、はんだ、樹脂接着剤等によって搭載エリア２Ｃに接合されている。
【００２５】
また、搭載エリア２Ｃは、平面視で、後述する枠体３と台座４とに挟まれた位置に設けられている。また、搭載エリア２Ｃは、枠体３と離間すると共に、台座４とも離間して配置されている。
【００２６】
＜枠体＞
枠体３は、基材２の表面２Ａの周囲に接合層３Ａを介して接合された絶縁性の部材である。枠体３は、平面視で搭載エリア２Ｃ及び台座４を囲むように、基材２に接合されている。
【００２７】
本実施形態では、枠体３は、複数の絶縁層を重ねた積層体である。また、枠体３には、配線（図示省略）が配置されている。この配線は、絶縁層の表面に配置された配線パターン、絶縁層を貫通する導体、搭載部品７，８に通電が必要な場合に搭載部品７，８と電気的に接続されるように構成された接続パッド９等を含んでいる。
【００２８】
枠体３の絶縁層の材質は特に限定されないが、耐熱性の観点から枠体３はセラミックを主成分とするとよい。このセラミックとしては、例えば、アルミナ、ベリリア、窒化アルミニウム、窒化ホウ素、窒化ケイ素、ガラス等が挙げられる。これらのセラミックは単体で、又は２種以上組み合わせて使用することができる。
【００２９】
接合層３Ａは、流動性を有する接合材の凝固によって形成されている。接合層３Ａの融点としては、３００℃以上が好ましい。接合層３Ａを形成する接合材としては、例えば、ろう材、はんだ、樹脂接着剤等が挙げられる。これらの中でも耐熱性の観点から、ろう材又ははんだが好ましい。ろう材としては、銀系ろう材が例示される。はんだとしては、金錫はんだが例示される。
【００３０】
＜台座＞
台座４は、基材２の表面２Ａのうち、枠体３よりも内側の領域に設けられた金属製の部位である。
【００３１】
本実施形態では、台座４は、基材２と一体に構成されている。台座４は、基材２の表面２Ａの一部が盛り上がることによって構成されている。換言すれば、台座４は、基材２のうち、他の部位よりも厚みの大きい部位である。
【００３２】
台座４には、第１搭載部品７が配置されている。第１搭載部品７は、例えば、ろう材、はんだ、樹脂接着剤等によって台座４の表面に接合されている。また、台座４は、枠体３と離間して配置されている。
【００３３】
＜規制部＞
規制部５は、基材２の表面２Ａに配置された溝によって構成されている。この溝は、基材２において、他の部位よりも厚みが小さくされた部位である。
【００３４】
規制部５は、表面２Ａのうち平面視で搭載エリア２Ｃと枠体３との間の領域の少なくとも一部に配置されている。具体的には、規制部５は、平面視で、台座４と搭載エリア２Ｃとを連続的に囲むように環状に配置されている。また、規制部５は、平面視における枠体３の内縁と平行に延伸している。つまり、規制部５は、枠体３の内縁から一定距離内側にオフセットした位置に配置されている。
【００３５】
規制部５は、搭載エリア２Ｃを挟んで台座４とは反対側の第１領域Ａ１と、搭載エリア２Ｃと台座４との対向方向（図１Ａ中左右方向）に対し垂直な方向（図１Ａ中上下方向）において搭載エリア２Ｃを挟む第２領域Ａ２及び第３領域Ａ３とに跨って配置されている。つまり、規制部５は、搭載エリア２Ｃと枠体３との間に台座４が存在しない領域に配置されている。
【００３６】
規制部５を構成する溝の深さは、基材２の厚みの１／２以下が好ましい。溝が深すぎると、基材２の体積が低減し、放熱性が低下したり、強度が低下したりするおそれがある。なお、規制部５を構成する溝は、台座４又は搭載エリア２Ｃ（つまり第２搭載部品８）と平面視で一部が重なっていてもよい。
【００３７】
また、規制部５は、基材２の表面２Ａから突出する突起によって構成されてもよい。規制部５を突起とすることで、接合材の流動量が多い場合でも接合材を搭載エリア２Ｃ外へ誘導することができる。さらに、規制部５は、溝と突起との組み合わせによって構成されてもよい。
【００３８】
規制部５を構成する突起の高さは、枠体３に配置された接続パッド９の基材２の表面２Ａからの高さ以下が好ましい。突起が高すぎると、第１搭載部品７及び第２搭載部品８と枠体３に設けられた接続パッド９とを接続する場合に、接続手段（図示しないワイヤーボンド等）が基材に触れてショートするおそれがあると共に、当該接続の際の作業性が低下するおそれがある。
【００３９】
＜搭載部品＞
第１搭載部品７、及び第２搭載部品８は、それぞれ、稼働によって熱を発する部品である。
【００４０】
例えば、第１搭載部品７としてＬＥＤ（発光ダイオード）やＬＤ（レーザーダイオード）、第２搭載部品８として蛍光体を有する光波長変換部材を用いてもよい。この組み合わせにより、ヘッドランプ、各種照明機器、レーザープロジェクター等の光源用の配線基板が得られる。
【００４１】
第１搭載部品及び第２搭載部品８は、枠体３が接合層３Ａによって基材２に接合された後に、台座４又は基材２に直接取り付けられる。なお、各搭載部品に通電が必要な場合は、上述した枠体３の接続パッド９に、例えばワイヤボンディングによって電気的に接続される。
【００４２】
［１−２．効果］
以上詳述した実施形態によれば、以下の効果が得られる。
（１ａ）基材２と枠体３との接合時に、接合層３Ａを形成する接合材の流動が規制部５によって規制される。そのため、基材２と枠体３との接合面積を減らすことなく、搭載エリア２Ｃへの接合材の流れ込みを抑制できる。
【００４３】
（１ｂ）規制部５が、平面視で、台座４と搭載エリア２Ｃとを連続的に囲むように環状に配置されていることで、より確実に搭載エリア２Ｃへの接合材の流れ込みが抑制できる。また、台座４の付け根部分におけるフィレットの形成も抑制できる。そのため、第２搭載部品８の搭載不良をより確実に抑制できる。
【００４４】
（１ｃ）台座４が基材２の表面に突起を形成しており、流動する接合材が突起の外縁に沿って搭載エリアへ流れ込みやすい傾向にあるので、規制部５が、より一層効果的に機能する。
【００４５】
（１ｄ）台座４及び規制部５が基材２と一体に構成されていることで、台座４及び規制部５を容易に形成することができる。また、台座４から基材２までの熱の流れが阻害されることを抑制できるので、台座４に搭載される第１搭載部品７の放熱性を高めることができる。
【００４６】
［２．第２実施形態］
［２−１．構成］
図２Ａ，２Ｂに示す配線基板１１は、基材２と、枠体３と、台座４と、規制部１５と、第１搭載部品７と、第２搭載部品８とを備える。基材２と、枠体３と、台座４と、第１搭載部品７と、第２搭載部品８とは、図１Ａの配線基板１と同様であるため、同一の符号を付して説明を省略する。
【００４７】
＜規制部＞
規制部１５は、搭載エリア２Ｃを挟んで台座４とは反対側に配置された帯状の第１部１５Ａと、搭載エリア２Ｃと台座４との対向方向に対し垂直な方向において搭載エリア２Ｃを挟むように配置された帯状の第２部１５Ｂと帯状の第３部１５Ｃとを有する。
【００４８】
第１部１５Ａは、枠体３及び搭載エリア２Ｃと離間して配置されている。第１部１５Ａは、搭載エリア２Ｃと台座４との対向方向に対し垂直な方向に延伸している。図２Ｂでは、第１部１５Ａは、突起によって構成されているが、第１部１５Ａは、溝によって構成されてもよい。
【００４９】
第２部１５Ｂ及び第３部１５Ｃは、それぞれ、一方の端部が台座４の基材２との付け根部分４Ａに接している。つまり、第２部１５Ｂ及び第３部１５Ｃは、台座４の付け根部分４Ａから、台座４と離間する方向（つまり、図２Ａにおいて搭載エリア２Ｃと台座４との対向方向に対し平行な方向）に延伸している。第２部１５Ｂ及び第３部１５Ｃは、それぞれ、溝によって構成されてもよいし、突起によって構成されてもよい。
【００５０】
第２部１５Ｂ及び第３部１５Ｃは、第１部１５Ａとは連結されていない。そのため、本実施形態では、搭載エリア２Ｃと枠体３との間に規制部１５が設けられていない領域が存在する。つまり、搭載エリア２Ｃは、台座４と規制部１５とによって非連続的に囲まれている。
【００５１】
［２−２．効果］
以上詳述した実施形態によれば、以下の効果が得られる。
（２ａ）台座４の付け根部分４Ａに接する第２部１５Ｂ及び第３部１５Ｃによって、流動する接合材が流れ込みやすい突起の外縁である台座４の付け根部分４Ａに接合材が流れ込むことを抑制することで、接合材によるフィレットが形成されることを抑制できる。
【００５２】
（２ｂ）搭載エリア２Ｃを挟んで台座４とは反対側に配置された第１部１５Ａによって、搭載エリア２Ｃにおける台座４とは反対側から、枠体３と基材２との接合を行う接合材が搭載エリア２Ｃへ流れ込むことが抑制できる。なお、本実施形態では、台座４によって、搭載エリア２Ｃにおける台座４側から、枠体３と基材２との接合を行う接合材が搭載エリア２Ｃへ流れ込むことが抑制される。
【００５３】
（２ｃ）本実施形態では、規制部１５は、搭載エリア２Ｃと枠体３との間の領域のうち、搭載エリア２Ｃと枠体３との間に台座が存在しない領域に配置されていることによって、搭載エリア２Ｃへの接合材の流れ込みを抑制すると共に、規制部１５の形成箇所を少なくすることができる。したがって、配線基板１１が不用意に大きくなることを抑制することができる。また、基材２の表面への加工工数を少なくすることができる。
【００５４】
［３．第３実施形態］
［３−１．構成］
図３Ａ，３Ｂに示す配線基板２１は、基材２と、枠体３と、台座４と、規制部２５と、第１搭載部品７と、第２搭載部品８とを備える。基材２と、枠体３と、台座４と、第１搭載部品７と、第２搭載部品８とは、図１Ａの配線基板１と同様であるため、同一の符号を付して説明を省略する。
【００５５】
＜規制部＞
規制部２５は、搭載エリア２Ｃを挟んで台座４とは反対側の第１領域Ａ１と、搭載エリア２Ｃと台座４との対向方向に対し垂直な方向において搭載エリア２Ｃを挟む第２領域Ａ２及び第３領域Ａ３とに跨って配置されている。
【００５６】
具体的には、規制部２５は、両端部が台座４の基材２との付け根部分４Ａに接するＵ字状に配置されている。したがって、搭載エリア２Ｃは、台座４と規制部２５とによって連続的に囲まれている。また、規制部２５は、枠体３から離間して配置されている。規制部２５は、溝によって構成されてもよいし、突起によって構成されてもよい。
【００５７】
［３−２．効果］
以上詳述した実施形態によれば、以下の効果が得られる。
（３ａ）台座４と規制部２５とを利用することによって搭載エリア２Ｃを囲うことで、搭載エリア２Ｃへの接合材の流れ込みが抑制できる。また、規制部２５の両端部が台座４の基材２との付け根部分４Ａに接することにより、台座４の付け根部分４Ａにおけるフィレットの形成を抑制できる。
【００５８】
［４．他の実施形態］
以上、本開示の実施形態について説明したが、本開示は、上記実施形態に限定されることなく、種々の形態を採り得ることは言うまでもない。
【００５９】
（４ａ）上記実施形態の配線基板１，１１，２１は、複数の台座４を備えてもよい。逆に、配線基板１，１１，２１は、必ずしも台座４を備えなくてもよい。また、基材２は、複数の搭載エリア２Ｃを有してもよい。
【００６０】
（４ｂ）上記実施形態の配線基板１，１１，２１において、台座４は、必ずしも基材２と一体に構成されなくてもよい。例えば、台座４は、接合材によって基材２に接合されていてもよい。同様に、規制部５，１５，２５を構成する突起は、必ずしも基材２と一体に構成されなくてもよい。また、台座４を基材２と別部材として準備し、台座４と基材２とを接合する場合、台座４の材料は、基材２と同一又は異なる材料で形成されていてもよい。台座４と基材２とを異なる材料で形成する場合、台座４の材料は、例えば、窒化アルミニウム、アルミナ、銅、銅合金、銅複合体、アルミニウム、鉄ニッケル合金等の放熱性に優れる材料が好ましい。
【００６１】
（４ｃ）上記実施形態の配線基板１，１１，２１において、搭載エリア２Ｃは、必ずしも規制部５、又は台座４と規制部１５，２５との組み合わせによって囲まれなくてもよい。例えば、図２Ａの配線基板１１において、規制部１５は、第１部１５Ａ、第２部１５Ｂ及び第３部１５Ｃのいずれか１つのみを有してもよい。
【００６２】
（４ｄ）上記実施形態の配線基板１，１１，２１は、第１搭載部品７及び第２搭載部品８の少なくとも一方を備えていなくてもよい。つまり、本開示は、配線基板に搭載される複数の搭載部品のうち、一部又は全部の搭載部品が搭載される前の配線基板も含む概念である。
【００６３】
（４ｅ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００６４】
［５．実施例］
以下に、本開示の効果を確認するために行った試験の内容とその評価とについて説明する。
【００６５】
＜実施例１＞
図３Ａの規制部２５を突起として設けた基材２（突起部分を除いた部分の平均厚み５００μｍ）に枠体３をろう付けした。ろう材により台座４の付け根部分に形成されたフィレットの厚みを計測したところ、２０μｍであった。また、搭載エリア２Ｃへのろう材（つまり接合材）の流れ込みは確認されなかった。
【００６６】
＜比較例１＞
図３Ａの規制部２５を設けていない基材２（厚みは実施例１と同じ）に枠体３をろう付けした。ろう材により台座４の付け根部分に形成されたフィレットの厚みを計測したところ、５１μｍであった。また、搭載エリア２Ｃにおいて、台座４とは反対側からろう材（つまり接合材）が流れ込み、搭載エリア２Ｃ内に１０μｍの段差が確認された。
【００６７】
＜考察＞
実施例１と比較例１との結果から、規制部２５によって、台座４の付け根部分におけるフィレットの形成を抑制できることが示された。また、搭載エリア２Ｃへ接合材が流れ込むことを抑制できることが示された。
【符号の説明】
【００６８】
１…配線基板、２…基材、２Ａ…表面、２Ｂ…裏面、２Ｃ…搭載エリア、３…枠体、
３Ａ…接合層、４…台座、４Ａ…付け根部分、５…規制部、７…第１搭載部品、
８…第２搭載部品、１１…配線基板、１５…規制部、１５Ａ…第１部、
１５Ｂ…第２部、１５Ｃ…第３部、２１…配線基板、２５…規制部。
【図１】
2020061544.tif 000003
【図２】
2020061544.tif 000004
【図３】
2020061544.tif 000005